(57)【要約】【課題】本発明は記録メディアが間違った向きで装着されることを防止することを課題とする。【解決手段】記録メディア駆動装置１０は、ホルダ５６の天板７４ａにメディア誤挿入防止機構５７が設けられている。メディア誤挿入防止機構５７は、メディア挿入検出部材６１と、メディア挿入検出部材６１を排出方向に付勢するコイルバネ６３と、ホルダ５６の左側上面に摺動可能に取り付けられたスライド部材８０と、を有する。記録メディア４６が誤った向きで挿入された場合は、メディア挿入検出部材６１のメディア当接ピン６７あるいはスライド部材８０の当接部８０ｇの何れか一方に当接するため、スライド部材８０の動作が規制されてホルダ５６を挿入方向に駆動できず、記録メディア４６の挿入が防止される。また、当接部７５ｆにより記録メディア４６が取り出し不可となる位置へ落下することが防止される。【選択図】        図４
2004348813.tif 000002
【特許請求の範囲】
【請求項１】
記録メディアが挿入される挿入口と、
該挿入口に挿入された前記記録メディアを収容するホルダと、
該ホルダを装着位置へ移動させるホルダ駆動手段と、
前記ホルダに摺動可能に設けられ、前記記録メディアの一側角部近傍に当接するように前記ホルダ内に突出する第１の当接部と、前記記録メディアの他側で前記記録メディアに形成された凹部に嵌入し、前記ホルダに対して前記記録メディアをクランプするクランプ機構を規制する規制部とを有する誤挿入防止部材と、前記ホルダに摺動可能に設けられ、前記記録メディアの他側角部近傍に当接するように前記ホルダ内に突出する第２の当接部を有するスライド部材と、
前記ホルダ内に突出するように前記ホルダと一体に設けられた第３の当接部とを備えており、
前記記録メディアが誤った向きで挿入された場合に前記誤挿入防止部材あるいは前記スライド部材が挿入方向に摺動せず前記記録メディアの挿入を阻止することを特徴とする記録メディア駆動装置。
【請求項２】
前記スライド部材は、前記記録メディアをクランプするクランプ機構を構成しており、挿入方向への摺動動作が検出手段により検出されることで前記ホルダ駆動手段を駆動させることを特徴とする請求項１記載の記録メディア駆動装置。
【請求項３】
前記誤挿入防止部材は、前記ホルダが前記記録メディアが挿入される初期位置にあるとき前記スライド部材の摺動動作を規制する規制部を有することを特徴とする請求項１記載の記録メディア駆動装置。
【請求項４】
前記第３の当接部は、前記記録メディアが異なる向きで前記ホルダに挿入された場合に前記第１，第２の当接部が前記記録メディアが当接せずとも、前記記録メディアに当接して前記記録メディアの挿入を阻止することを特徴とする請求項１記載の記録メディア駆動装置。
【請求項５】
前記誤挿入防止部材をメディア排出方向に付勢する付勢部材を設け、
前記付勢部材は、前記クランプ機構によるクランプを解除された記録メディアを排出方向に押し出すことを特徴とする請求項１記載の記録メディア駆動装置。
【発明の詳細な説明】
【０００１】
【発明の属する技術分野】
本発明は記録メディア駆動装置に係り、特に記録メディアを前面パネルの挿入口から挿入すると、自動的に内部に引き込むように構成された記録メディア駆動装置に関する。
【０００２】
【従来の技術】
例えば、パーソナルコンピュータなどの電子機器に内蔵され、記録メディアを挿脱可能とする記録メディア駆動装置がある（例えば、特許文献１参照）。
【０００３】
この種の記録メディア駆動装置では、各種データが記録された任意の記録メディアを選択的に挿脱することにより、データ管理あるいはデータの移動を容易にするものである。
【０００４】
一方、記録メディアは、予め決められた寸法形状のカートリッジに磁気ディスク等の記録媒体を収納する構成になっており、記録方式や記憶容量も規格化されている。そして、記録メディアの外観形状を大きくすることにより、例えば、磁気ディスクの直径を大きくして記憶容量を増大させることが検討されている。
【０００５】
その場合、既に使用されている記録メディアとの互換性を確保するため、記録メディアの幅寸法及びコネクタを共通にして奥行き寸法を大きくすることが検討されている。
【０００６】
【特許文献１】
特開２００１−２３６７５１号公報
【０００７】
【発明が解決しようとする課題】
上記記録メディア駆動装置においては、異なる大きさの記録メディアを装着可能な構成にした場合、例えば、奥行き寸法の小さい記録メディアが側面を挿入側とした向きでホルダに挿入することが可能になる。そのため、操作者が記録メディアの挿入方向が間違っていることに気付かずに記録メディアの側面を挿入側としてホルダに挿入した場合でも、ホルダが自動的に挿入方向に移動して記録メディアを装置内部に搬送してしまうおそれがある。
【０００８】
さらに、挿入口が上面に位置するように記録メディア駆動装置を縦置き状態に設置された場合、記録メディアが幅寸法の小さい側面を挿入側端部として挿入されてしまうと、記録メディアが取り出しできない位置に落下してしまうおそれがある。
【０００９】
このような、記録メディアの大きさが複数ある場合には、小さい記録メディアが間違った向きでホルダに挿入されても、ホルダが装着位置へ駆動されないことと、間違った向きで挿入された記録メディアの取出しが可能であることが要望されている。
【００１０】
そこで、本発明は上記課題を解決した記録メディア駆動装置を提供することを目的とする。
【００１１】
【課題を解決するための手段】
本発明は上記課題を解決するため、以下のような特徴を有する。
上記請求項１記載の発明は、記録メディアが挿入される挿入口と、挿入口に挿入された記録メディアを収容するホルダと、ホルダを装着位置へ移動させるホルダ駆動手段と、ホルダに摺動可能に設けられ、記録メディアの一側角部近傍に当接するようにホルダ内に突出する第１の当接部と、記録メディアの他側で記録メディアに形成された凹部に嵌入し、ホルダに対して記録メディアをクランプするクランプ機構を規制する規制部とを有する誤挿入防止部材と、ホルダに摺動可能に設けられ、記録メディアの他側角部近傍に当接するようにホルダ内に突出する第２の当接部を有するスライド部材と、ホルダ内に突出するようにホルダと一体に設けられた第３の当接部とを備えたものであり、第１または第２の当接部の何れかに当接するように記録メディアが誤った向きで挿入された場合に誤挿入防止部材あるいはスライド部材が挿入方向に摺動せず記録メディアの挿入を阻止するものであり、大きさの異なる記録メディアがホルダに挿入される場合に小さい記録メディアが誤った向きで装着されることを防止でき、且つ、第３の当接部により記録メディアが装置内部へ落下することを防止することができる。
【００１２】
また、請求項２記載の発明は、スライド部材が記録メディアをクランプするクランプ機構を構成しており、挿入方向への摺動動作が検出手段により検出されることでホルダ駆動手段を駆動させるものであり、大きさの異なる記録メディアがホルダに挿入される場合に小さい記録メディアが誤った向きでホルダに挿入されても記録メディアがクランプされないので、記録メディアの誤挿入を未然に防止することが可能になる。
【００１３】
また、請求項３記載の発明は、誤挿入防止部材に記ホルダが記録メディアが挿入される初期位置にあるときスライド部材の摺動動作を規制する規制部を設けたものであり、小さい記録メディアが誤った向きでホルダに挿入されてもスライド部材が摺動できないので、記録メディアが誤った向きで装着されることを防止しうる。
【００１４】
また、請求項４記載の発明は、記録メディアが異なる向きでホルダに挿入された場合に第１，第２の当接部が記録メディアが当接せずとも、第３の当接部が記録メディアに当接して記録メディアの挿入を阻止するものであり、記録メディアが誤った向きで挿入されることを防止でき、且つ装置内部への落下を未然に防止することができる。
【００１５】
また、請求項５記載の発明は、誤挿入防止部材をメディア排出方向に付勢する付勢部材を設け、付勢部材が、クランプ機構によるクランプを解除された記録メディアを排出方向に押し出すものであり、記録メディアが誤った向きで挿入されることを未然に防止すると共に、記録メディアを排出方向に押し出してイジェクト動作をアシストすることが可能になる。
【００１６】
【発明の実施の形態】
以下、図面と共に本発明の一実施例について説明する。
図１は本発明になる記録メディア駆動装置の一実施例を示す図であり、（Ａ）は正面図、（Ｂ）は平面図、（Ｃ）は背面図、（Ｄ）は左側面図、（Ｅ）は右側面図である。
【００１７】
図１（Ａ）〜（Ｅ）に示されるように、記録メディア駆動装置１０は、箱状のシャーシ１２の上部にカバー１４が取り付けられており、シャーシ１２の前面には前面パネル１６が取り付けられている。また、シャーシ１２の後部には、後部パネル１８が取り付けられている。
【００１８】
カバー１４は、シャーシ１２の上面を覆う天板１４ａと、シャーシ１２の左右側面１２ｃ，１２ｄ（図６参照）を覆う側板１４ｂ，１４ｃとを有する。また、側板１４ｂ，１４ｃには、シャーシ１２の突起１２ａを嵌合係止する係止用孔１４ｄが２箇所ずつ設けられ、且つ右側の側板１４ｃには、リムーバブル検出用スイッチ１９（図１中、破線で示す）の切片に対向する開口１４ｅが設けられている。
【００１９】
前面パネル１６は、後述する記録メディアが挿入される挿入口２０と、イジェクト釦２２と、エマージェンシー用孔２４とが設けられている。また、挿入口２０は、内側に回動可能に設けられた蓋部材２６により開閉される。
【００２０】
後部パネル１８は、外部コネクタ（図示せず）が接続される入出力用コネクタ２８と、電源用プラグ３０と、ＵＳＢ（Ｕｎｉｖｅｒｓａｌ  Ｓｅｒｉａｌ  Ｂｕｓ）用コネクタ３２と、ロック用孔３４とが設けられている。
【００２１】
ここで、本実施例に適用される記録メディアの形状について説明する。本実施例では、記憶容量の異なるハードディスクが内蔵された２種類の記録メディアを考えている。
【００２２】
図２は２．５インチディスクの記録メディアの一例を示す図であり、（Ａ）は平面図、（Ｂ）は正面図、（Ｃ）は側面図である。
図２（Ａ）〜（Ｃ）に示されるように、第１の記録メディア３６は、樹脂製カートリッジ３８の内部に記録媒体としての磁気ディスク（図示せず）が収納されている。カートリッジ３８は、挿入側端部３６ａにコネクタ４０が設けられ、左右側面に挿入・イジェクト方向（Ａ，Ｂ方向）に延在するガイド溝４２と、クランプ用凹部４４を有する。
【００２３】
図３は１．８インチディスクの記録メディアの一例を示す図であり、（Ａ）は平面図、（Ｂ）は正面図、（Ｃ）は側面図である。
図３（Ａ）〜（Ｃ）に示されるように、第２の記録メディア４６は、樹脂製カートリッジ４８の内部に記録媒体としての磁気ディスク（図示せず）が収納されている。カートリッジ４８は、挿入側端部４６ａにコネクタ５０が設けられ、左右側面に挿入・イジェクト方向（Ａ，Ｂ方向）に延在するガイド溝５２と、クランプ用凹部５４を有する。
【００２４】
上記第１、２の記録メディア３６，４６は、挿入側端部３６ａ，４６ａに設けられたコネクタ４０，５０が共通であり、且つガイド溝４２，５２の高さ位置やクランプ用凹部４４，５４の形状及び位置も共通である。また、カートリッジ３６，４８は、横幅寸法が同一寸法であるが、奥行き寸法が異なっており、カートリッジ３６の奥行き寸法が大に形成されている。
【００２５】
図４はカバー１４を外した状態を示す平面図である。図５（Ａ）は前面パネル１６を内側からみた背面図、（Ｂ）は蓋部材２６の開閉動作を示す側面図である。図６は前面パネル１６を外したシャーシ１２の内部構造を示す縦断面図である。
図４及び図５（Ａ）（Ｂ）に示されるように、前面パネル１６の内側には、挿入口２０を開閉する蓋部材２６が回動自在に支持されている。蓋部材２６は、挿入口２０に対向するフラップ２６ａと、フラップ２６ａの上部両端より左右方向に突出する軸２６ｂ，２６ｃとを有する。そして、前面パネル１６の裏面には、軸２６ｂ，２６ｃを軸承する軸受け部１６ａ，１６ｂが設けられている。
【００２６】
軸２６ｂには、トーションバネ２７が巻装されており、トーションバネ２７のバネ力によりフラップ２６ａが閉方向に付勢されている。従って、記録メディア３６，４６は、挿入口２０に挿入されることにより、挿入側端部３６ａ，４６ａがフラップ２６ａを挿入方向（Ａ方向）に押圧してフラップ２６ａを開方向に回動させる。
【００２７】
その際、蓋部材２６は、トーションバネ２７のバネ力に抗して開方向に回動して記録メディア３６，４６の挿入経路から退避しており、挿入動作を妨げないように構成されている。そして、奥行き寸法の短い記録メディア４６も後部が通過すると共に、閉方向に回動して挿入口２０を閉塞して埃などが内部に進入することを防止する。また、奥行き寸法の長い記録メディア３６の場合には、排出側端部３６ｂが挿入口２０を閉塞した状態で装着完了になるため、蓋部材２６は、記録メディア３６の上面に当接する開位置に退避している。
【００２８】
図４に示されるように、シャーシ１２の底面１２ｂには、記録メディア３６，４６が挿入されるホルダ５６と、ホルダ５６の天板に設けられたメディア誤挿入防止機構５７と、ホルダ５６の移動方向をガイドする一対のガイド部材５８，５９と、ホルダ５６を駆動するホルダ駆動機構６０と、蓋部材２６を開閉させる開閉機構６２と、記録メディア３６，４６のコネクタ４０，５０が接続されるメディア用コネクタ６４が搭載された基板６６とが設けられている。
【００２９】
ここで、本発明の要部を構成するメディア誤挿入防止機構５７について説明する。
メディア誤挿入防止機構５７は、ホルダ５６の上面にＡ，Ｂ方向に摺動可能に取り付けられたメディア挿入検出部材６１と、メディア挿入検出部材６１を排出方向に付勢するコイルバネ（付勢部材）６３と、ホルダ５６の左側上面に摺動可能に取り付けられたスライド部材８０と、記録メディア３６，４６の挿入によりスライド部材８０がＡ方向に摺動したことを検出するメディア挿入検出センサ７８と、から構成されている。
【００３０】
また、メディア挿入検出部材６１は、ホルダ５６の上面中央に取り付けられた押え板６５によりＡ，Ｂ方向に摺動をガイドされると共に、ホルダ５６からの脱落が防止される。メディア挿入検出部材６１は、挿入側端部の右端にホルダ５６内に突出するメディア当接ピン（第１の当接部）６７を有する。このメディア当接ピン６７は、ホルダ５６内に挿入された記録メディア３６，４６の挿入側端部に当接するように設けられている。
【００３１】
また、基板６６には、上記メディア用コネクタ６４の他にリムーバブル検出用スイッチ１９、入出力用コネクタ２８、電源用プラグ３０、ＵＳＢ用コネクタ３２、ホルダ検出スイッチ６８、装着検出スイッチ７０、制御回路７２が搭載されている。尚、制御回路７２は、マイクロコンピュータによって構成しても良いし、あるいはアナログ回路によって構成しても良い。
【００３２】
ここで、ホルダ５６の構成について図７乃至図１０を併せ参照して説明する。図４及び図６に示されるように、ホルダ５６は、シャーシ１２の底面１２ｂ上に起立するガイド部材５８，５９により前面パネル１６の挿入口２０に対向する高さ位置で移動可能に支持されており、挿入口２０を通過した記録メディア３６または４６が挿入される。
【００３３】
ホルダ５６は、板金をコ字状に曲げ加工された２つの摺動部材７４，７５が一体的に結合されたものであり、外側に設けられた第１の摺動部材７４はガイド部材５８，５９の上端に横架されるように形成された天板７４ａと、ガイド部材５８，５９の外側面に摺動可能に対向する側板７４ｂ，７４ｃとを有する。
【００３４】
また、シャーシ１２の底面１２ｂより起立したＳＷ基板１２ｅには、イジェクト釦２２に対向する高さ位置にイジェクトスイッチ７３が設けられている。このイジェクトスイッチ７３は、イジェクト釦２２が押圧操作された場合にオンに切り替わり、イジェクト信号を出力する。
【００３５】
ホルダ５６の天板７４ａには、記録メディア３６，４６を左右両側から挟持するクランプ機構７６，７７とが設けられている。また、カバー１４の天板１４ａの下面には、エマージェンシー用工具の挿入をガイドするガイドレール７９が取り付けられている。
【００３６】
また、ホルダ５６の左側面に対向する位置には、フォトインタラプタからなるメディア挿入検出センサ７８が設けられている。このメディア挿入検出センサ７８は、発光素子と受光素子とを有しており、ホルダ５６に記録メディア３６または４６が正しい向きで挿入された場合に、発行素子からの光が挿入方向に摺動するスライド部材８０の端部に反射して受光素子に受光される。
【００３７】
また、メディア挿入検出センサ７８において、反射光を受光してスライド部材８０が挿入方向（Ａ方向）に移動したことが検出され、その検出信号が出力されることでホルダ駆動機構６０のモータ８６が起動されてホルダ５６を挿入方向へ駆動することが可能になる。
【００３８】
図７及び図８に示されるように、摺動部材７４，７５は、第１の摺動部材７４が上側に配置され、第２の摺動部材７５が下側に配置されるように一体的に結合されたものである。そして、摺動部材７４の下側に取り付けられた第２の摺動部材７５は、天板７４ａの下面に密着する天板７５ａと、ガイド部材５８，５９の内側で下方に曲げられた側板７５ｂ，７５ｃとを有する。
【００３９】
側板７４ｂ，７４ｃと側板７５ｂ，７５ｃとの間には、ガイド部材５８，５９のガイド壁５８ａ，５９ａが挿通されることでホルダ５６のＡ，Ｂ方向の摺動動作をガイドされる。また、側板７５ｂ，７５ｃの内壁には、記録メディア３６，４６のガイド溝４２，５２に嵌合するガイド部７５ｄ，７５ｅが突出している。
【００４０】
図７乃至図１０に示されるように、天板７５ａの挿入側には、記録メディア３６，４６の挿入側端部３６ａ，４６ａが当接する一対の当接部７５ｆが下方に突出している。また、右側の側板７５ｃの挿入側端部にも記録メディア３６，４６の挿入側端部３６ａ，４６ａが当接する当接部（第３の当接部）７５ｇが内側に突出している。この一対の当接部７５ｆ，７５ｇは、記録メディア３６，４６が正しい向きで挿入された場合の最終的な挿入位置を規制するストッパであるのと、誤挿入時における装置内部へのメディア落下防止の当接部も兼ねている。
【００４１】
尚、この当接部７５ｆはホルダと一体でも、別部品の取り付けによる構成にしても構わない。
【００４２】
さらに、第１の摺動部材７４の天板７４ａには、後述するクランプ機構７６，７７のスライド部材８０，８１の摺動動作をガイドする傾斜ガイド部７４ｆが左右に２箇所ずつ合計４箇所に設けられている。
【００４３】
また、天板７４ａ，７５ａには、メディア挿入検出部材６１の左側の摺動方向をガイドする長孔７４ｈ，７５ｈと、メディア挿入検出部材６１の挿入側右端より下方に突出するメディア当接ピン６７が挿通される長孔７４ｉ，７５ｉと、メディア挿入検出部材６１を排出方向に付勢するコイルバネ（付勢部材）６３が挿入されるバネ収容孔７４ｊ，７５ｊとが設けられている。
【００４４】
また、天板７４ａの左右には、コイルバネ６３の一端を掛止するバネ掛止孔７４ｋと、トーションバネ８２，８３が嵌合される円形のバネ取付部７４ｌと、スライド部材８０，８１が記録メディア３６，４６をクランプするためのクランプ用穴７４ｍと、スライド部材８０，８１の端部から側方に突出する突出部（後述する）が挿通される挿通穴７４ｎが設けられている。
【００４５】
さらに、天板７４ａの中央に設けられた四角形状の開口７４ｏには、天板７５ａの押え板取り付け部７５ｋが露出している。
図９に示されるように、左側の側板７４ｂは、後述するようにホルダ５６が初期位置にあるときメディア挿入検出センサ７８に対向する長方形状の検出用穴７４ｑが設けられている。そのため、ホルダ５６内に正しい向きで挿入された記録メディア３６，４６は、後述するクランプ機構７６，７７のスライド部材８０，８１をＡ方向に押圧する。その際、左側のスライド部材８０は、検出用穴７４ｑを介してメディア挿入検出センサ７８からの検出光が照射され、その反射光はメディア挿入検出センサ７８によって検出される。
【００４６】
ここで、メディア挿入検出部材６１の構成について図１１（Ａ）（Ｂ）を参照して説明する。
図１１（Ａ）（Ｂ）に示されるように、メディア挿入検出部材６１は、板金を加工したベース６１ａの挿入側右端にメディア当接ピン６７を有する。このメディア当接ピン６７は、上記長孔７４ｉ，７５ｉに挿通されてホルダ５６内に突出し、ホルダ５６内の記録メディア３６，４６の挿入経路に延在する。そのため、メディア当接ピン６７は、ホルダ５６内に挿入された記録メディア３６，４６の挿入側右端が当接され、挿入方向（Ａ方向）に押圧される。
【００４７】
また、メディア挿入検出部材６１は、ベース６１ａの左端部にスライド部材８０の延出部８０ｃ（後述する図１４参照）に当接してスライド部材８０の摺動を規制する規制部６１ｂと、中央部にクランク形状に曲げ加工された一対の掛止部６１ｃ，６１ｄと、掛止部６１ｄとメディア当接ピン６７との間に形成されたバネ掛止孔６１ｅと、掛止部６１ｃと規制部６１ｂとの間の下面に設けられたガイドピン６１ｆとを有する。
【００４８】
規制部６１ｂは、記録メディア３６，４６の挿入前は後述するスライド部材８０の端部に当接してスライド部材８０のＡ方向への摺動を阻止しており、記録メディア３６，４６の挿入によりＡ方向へ摺動することによりスライド部材８０に対する規制を解除する。従って、スライド部材８０は、メディア挿入検出部材６１がＡ方向に摺動しなければ、記録メディア３６，４６のクランプ動作を行えないように設けられている。
【００４９】
掛止部６１ｃ，６１ｄは、天板７５ａの押え板取り付け部７５ｋに固着された押え板６５により上方への脱落が防止されると共に、Ａ，Ｂ方向への摺動のみが許容される。バネ掛止孔６１ｅには、前述したコイルバネ６３の端部が掛止される。そのため、メディア挿入検出部材６１は、コイルバネ６３のバネ力により排出方向（Ｂ方向）に付勢されており、イジェクト動作時には、ホルダ５６内の記録メディア３６，４６をＢ方向へ押し出し動作をアシストするように作用する。
【００５０】
ガイドピン６１ｆは、天板７４ａ，７５ａに設けられた長孔７４ｈ，７５ｈに挿入され、長孔７４ｈ，７５ｈの延在方向であるＡ，Ｂ方向への摺動をガイドされる。
【００５１】
図１２はカバー１４及び前面パネル１６を外した状態の正面図である。図１３はカバー１４及び背面パネル１８を外した状態の背面図である。
図１２及び図１３に示されるように、摺動部材７４，７５を重ね合わせたホルダ５６の内部には、前述したメディア当接ピン６７、後述するスライド部材８０，８１の当接部８０ｇ，８１ｇと、当接部７５ｆ，７５ｇが記録メディア３６，４６の挿入経路に突出している。
【００５２】
そのため、ホルダ５６内に挿入された記録メディア３６，４６は、最初にメディア当接ピン６７を押圧してメディア挿入検出部材６１を挿入方向に移動させ、続いて、当接部８０ｇ，８１ｇに当接してスライド部材８０，８１を挿入方向に移動させながら両側からクランプされる。さらに、記録メディア３６，４６は、当接部７５ｆ，７５ｇに当接してホルダ５６への挿入が完了する。これと同時にメディア挿入検出センサ７８がメディア挿入検出信号を出力してホルダ駆動機構６０のモータ８６が起動される。
【００５３】
また、記録メディア３６，４６の挿入経路の奥部には、メディア用コネクタ６４が設けられている。そのため、ホルダ５６がＡ方向に駆動されて装着位置（後述する）に到着する過程で記録メディア３６，４６のコネクタ４０，５０がメディア用コネクタ６４に接続される。
【００５４】
ここで、クランプ機構７６，７７の構成について説明する。
クランプ機構７６，７７は、ホルダ５６に挿入される記録メディア３６，４６の挿入動作により記録メディア３６，４６の両側を押圧して挟持するように構成されており、天板７４ａに摺動可能に取り付けられたスライド部材８０，８１と、スライド部材８０，８１を外側（左右側方）へ付勢するトーションバネ８２，８３とから構成されている。
【００５５】
図１４はホルダ５６の左側に配置されたスライド部材８０の構成を示す図であり、（Ａ）は正面図、（Ｂ）は平面図、（Ｃ）は背面図、（Ｄ）は左側面図、（Ｅ）は右側面図、（Ｆ）は底面図である。
図１４（Ａ）〜（Ｅ）に示されるように、スライド部材８０は、天板７４ａを摺動する摺動部８０ａと、摺動部８０ａの摺動方向の両端より延在して天板７４ａに対して抜け防止される延出部８０ｂ，８０ｃと、トーションバネ８２の一端が掛止されるバネ掛止部８０ｄとを有する。延出部８０ｃは、ホルダ５６に記録メディア３６，４６が挿入されていない待機状態のとき前述したメディア挿入検出部材６１の規制部６１ｂの下面に当接しており（図４参照）、挿入方向への摺動が規制される。
【００５６】
また、摺動部８０ａの下面には、一対のガイドピン８０ｅ，８０ｆと、記録メディア３６，４６の挿入側端部３６ａ，４６ａに当接する当接部（第２の当接部）８０ｇと、一対のガイドピン８０ｅ，８０ｆの中間位置で台形状に形成された係合部８０ｈとが突出している。
【００５７】
一対のガイドピン８０ｅ，８０ｆは、天板７４ａに形成された傾斜ガイド部７４ｆ（図７参照）に嵌合するため、当接部８０ｇが記録メディア３６，４６の挿入側端部３６ａ，４６ａにより挿入方向（Ａ方向）に押圧された場合、傾斜ガイド部７４ｆに沿って内側に移動する。これにより、スライド部材８０は、記録メディア３６，４６の側面に近接する方向に移動し、且つ係合部８０ｈがクランプ用凹部４４，５４に係合する。
【００５８】
また、スライド部材８０は、挿入方向（Ａ方向）に移動してスライド部材８０が記録メディア３６，４６を側方からクランプすると共に、当接部８０ｇの側面が検出用穴７４ｑを介してメディア挿入検出センサ７８に対向する。そのため、メディア挿入検出センサ７８からの検出光は、当接部８０ｇの側面に照射され、その反射光はメディア挿入検出センサ７８によって検出される。
【００５９】
尚、スライド部材８１は、上記スライド部材８０とほとんど左右対称となる形状に形成されており、その説明を省略する。また、スライド部材８０，８１は、係合部８０ｈ，８１ｈがガイド部材５８，５９のガイド壁５８ａ，５９ａの内側に変位してクランプ用凹部４４，５４に嵌合することでガイド壁５８ａ，５９ａによる挿入方向への規制が解除されてＡ方向への摺動が可能になる。
【００６０】
従って、ホルダ５６に記録メディア３６，４６が挿入される過程でスライド部材８０，８１は、挿入方向に移動しながら互いに近接する方向に移動して係合部８０ｈ，８１ｈを両側から記録メディア３６，４６のクランプ用凹部４４，５４に係合させ、これにより記録メディア３６，４６を両側から挟持する。
【００６１】
ここで、ホルダ駆動機構６０の構成について説明する。
図１５はホルダ駆動機構６０を部分的に拡大して示す平面図である。図１６はホルダ駆動機構６０を左側からみた側面図である。
【００６２】
図１５及び図１６に示されるように、ホルダ駆動機構６０は、シャーシ１２の後部左側に配置されたモータ８６と、モータ８６からの回転駆動力をホルダ５６に伝達する伝達機構８８とから構成されている。伝達機構８８は、モータ８６の回転軸に嵌合されたウォーム９０と、ウォーム９０に噛合するウォームホイール９１及び複数の減速ギヤ９２〜９５を有する減速ギヤ群９６と、減速ギヤ群９６の出力側に配置されたピニオン９８が噛合するラック１００とから構成されている。
【００６３】
ラック１００は、ホルダ５６の左側面に固定されており、Ａ，Ｂ方向に延在している。そのため、モータ８６の回転駆動力が伝達機構８８を介してピニオン９８に伝達されると、ラック１００と共にホルダ５６はＡ，Ｂ方向に移動する。
【００６４】
また、上記ピニオン９８に噛合するギヤ９５は、軸１０２の軸方向に摺動可能支持されており、且つ軸１０２に巻装されたコイルバネ１０４により噛合位置に付勢されている。このコイルバネ１０４に付勢されたギヤ９５は、噛合解除機構を構成しており、コイルバネ１０４のバネ力に抗して噛合解除位置に移動することができ、ピニオン９８との噛合関係を解除してピニオン９８をフリー状態に切り替えることが可能になる。
【００６５】
すなわち、メディア装着状態でモータ８６が故障した場合でもギヤ９５を噛合解除位置にスライドさせることにより、ホルダ５６をメディア排出方向（Ｂ方向）に移動させることが可能になる。
【００６６】
ここで、蓋部材２６を開閉させる開閉機構６２の構成について説明する。
図１７は開閉機構６２を側方からみた側面図である。
【００６７】
図１７及び図１５に示されるように、開閉機構６２は、ラック１００と一体に形成された垂直壁１００ａの端部に設けられた傾斜カム部１００ｂに押圧されるクランク部材１０６と、クランク部材１０６を回動可能に支持するブラケット１０８と、クランク部材１０６を時計方向に付勢するトーションバネ１１０と、クランク部材１０６の偏心ピン１０６ａに連結された開閉アーム１１２と、から構成されている。
【００６８】
開閉アーム１１２の端部は、蓋部材２６のフラップ２６ａの左側面に突出するピン２６ｄに回動可能に連結されている。上記クランク部材１０６は、垂直壁１００ａの移動経路に設けられており、垂直壁１００ａに押圧されるカム部１０６ｂを有する。このカム部１０６ｂは、ホルダ５６が装着位置にあるときは、傾斜カム部１００ｂから離間して時計方向に回動して蓋部材２６を閉位置に駆動しており、ホルダ５６が上記ホルダ駆動機構６０によりＡ方向に移動して装着位置の直前位置に至るまでは垂直壁１００ａに摺接して蓋部材２６を開位置に駆動する。
【００６９】
また、垂直壁１００ａは、ホルダ５６がメディア挿入・排出操作される初期位置で待機しているときは、カム部１０６ｂを時計方向に回動させるように凹んだ凹部１００ｃが設けられている。そして、凹部１００ｃと垂直壁１００ａとの間を連続形成された傾斜カム部１００ｄが設けられている。
【００７０】
すなわち、蓋部材２６は、カム部１０６ｂが傾斜カム部１００ｂ，１００ｄを摺接する過程で開または閉方向に駆動され、カム部１０６ｂが垂直壁１００ａに摺接する間に開位置に保持される。
【００７１】
また、ホルダ５６がメディア挿入・排出操作される初期位置で待機しているときは、カム部１０６ｂが凹部１００ｃに挿入された状態であるので、カム部１０６ｂが時計方向に回動している。しかしながら、記録メディア３６，４６が挿入口２０から挿入されると、蓋部材２６が時計方向に回動し、この動作が開閉アーム１１２を介してクランク部材１０６に伝達されてクランク部材１０６をトーションバネ１０４のバネ力に抗して反時計方向に回動させることが許容される。
【００７２】
よって、蓋部材２６は、開閉機構６２によって開閉駆動されるが、開閉機構６２はホルダ５６の位置に拘らず、閉位置から開方向へ動作することが可能な構成になっている。
【００７３】
ここで、スライド部材８０，８１の動作について説明する。
図１８（Ａ）（Ｂ）はスライド部材８０，８１の動作前の状態を示す平面図である。図１９はスライド部材８０，８１の各突出部の係合関係を示す図であり、（Ａ）はスライド部材８０，８１の各突出部（ハッチングで示す）のクランプ動作前の状態を示す平面図、（Ｂ）は要部を拡大して示す図である。尚、図１８（Ｂ）はホルダ５６及びトーションバネ８２，８３を省略して示してある。
図１８（Ａ）（Ｂ）に示されるように、スライド部材８０，８１は、一対のガイドピン８０ｅ，８０ｆが天板７４ａに形成された傾斜溝７４ｅ，７４ｆ（図７中参照）に嵌合している。そのため、スライド部材８０，８１は、記録メディア４６が挿入方向（Ａ方向）に挿入されるのに伴って、同方向に押圧されると、傾斜溝７４ｅ，７４ｆに沿って内側に移動することが可能になる。
【００７４】
図１９（Ａ）（Ｂ）に示されるように、クランプ動作前のスライド部材８０，８１は、係合部８０ｈ，８１ｈがクランプ用凹部５４に嵌合しておらず、ガイド部材５８，５９のガイド壁５８ａ，５９ａに形成された切欠５８ｂ，５９ｂに係合している。さらに、スライド部材８０，８１は、夫々トーションバネ８２，８３によって外側（係止解除方向）に付勢されているので、係合部８０ｈ，８１ｈが切欠５８ｂ，５９ｂに係合した状態に保持されている。
【００７５】
そのため、ホルダ５６は、スライド部材８０，８１を介してガイド部材５８，５９のガイド壁５８ａ，５９ａによって挿入方向への移動が規制されている。よって、記録メディア４６が挿入されるまでのホルダ５６は、スライド部材８０，８１によって初期位置にロックされている。
図２０（Ａ）（Ｂ）はスライド部材８０，８１のクランプ動作後の状態を示す平面図である。図２１はスライド部材８０，８１の各突出部の係合関係を示す図であり、（Ａ）はスライド部材８０，８１の各突出部（ハッチングで示す）のクランプ動作後の状態を示す平面図、（Ｂ）は要部を拡大して示す図である。尚、図２０（Ｂ）はホルダ５６及びトーションバネ８２，８３を省略して示してある。
【００７６】
図２０（Ａ）（Ｂ）に示されるように、スライド部材８０，８１は、挿入方向（Ａ方向）に対して斜め２０度の方向にスライドして左右両側から記録メディア４６の側面に近接する方向に移動することで、係合部８０ｈ，８１ｈがクランプ用凹部５４に係合する。これで、記録メディア４６は、両側からスライド部材８０，８１によって挟持されるようにクランプされ、且つクランプ用凹部５４が係合部８０ｈ，８１ｈによって係止される。そのため、記録メディア４６は、クランプ機構７６，７７のクランプ動作によりホルダ５６に保持された状態となる。
【００７７】
図２１（Ａ）（Ｂ）に示されるように、スライド部材８０，８１は、記録メディア４６の挿入操作によって、当接部８０ｇ，８１ｇが挿入方向（Ａ方向）に押圧されると共に、ガイドピン８０ｅ，８０ｆが天板７４ａに形成された傾斜溝７４ｅ，７４ｆに沿って移動するため、スライド部材８０，８１は、内側に移動して記録メディア４６を両側からクランプするように動作する。
【００７８】
その際、クランプ動作後のスライド部材８０，８１は、係合部８０ｈ，８１ｈがガイド部材５８，５９のガイド壁５８ａ，５９ａに形成された切欠５８ｂ，５９ｂから離脱してクランプ用凹部５４に嵌合している。これにより、スライド部材８０，８１は、ホルダ５６に挿入された記録メディア４６の両側を側方からクランプする。
【００７９】
これと同時に、係合部８０ｈ，８１ｈがクランプ用凹部５４に嵌合し、且つ切欠５８ｂ，５９ｂから離脱してホルダ５６に対するロックを解除し、ガイド部材５８，５９のガイド壁５８ａ，５９ａに沿ってＡ方向へ摺動可能になる。そのため、スライド部材８０，８１は、ホルダ５６がクランプ位置から挿入方向に移動して装着位置に至る間は、ホルダ５６に対するロックを解除したロック解除状態を保持、且つガイド壁５８ａ，５９ａを摺接して外側への変位（クランプ解除）を規制することで、内側に変位したクランプ状態に保持されている。
【００８０】
ここで、記録メディア４６が正しい向きでホルダ５６に挿入された場合のメディア装着動作について、図２２乃至図２６を参照して説明する。
図２２はメディア挿入開始状態を説明するための平面図である。図２３はメディア挿入検出状態を説明するための平面図である。図２４はメディアクランプ状態を説明するための平面図である。図２５はホルダ駆動状態を説明するための平面図である。図２６はメディア装着完了状態を説明するための平面図である。
【００８１】
図２２に示されるように、記録メディア４６が正しい向きで挿入口２０に挿入された場合、記録メディア４６の挿入側端部４６ａが蓋部材２６を開方向に押圧してホルダ５６内部に進入する。記録メディア４６は、左右側面のガイド溝５２に側板７５ｂ，７５ｃの内壁に突出するガイド部７５ｄ，７５ｅが嵌合して挿入方向及び高さ位置をガイドされる。そして、記録メディア４６の挿入側端部４６ａの右側がメディア挿入検出部材６１のメディア当接ピン６７に当接する。
【００８２】
尚、ホルダ５６が初期位置にあるとき、スライド部材８０，８１は、夫々トーションバネ８２，８３によって外側（係止解除方向）に付勢されているため、係合部８０ｈ，８１ｈが左右方向に開いた状態にある。さらに、クランプ動作前のスライド部材８０，８１は、係合部８０ｈ，８１ｈがガイド部材５８，５９のガイド壁５８ａ，５９ａに形成された切欠５８ｂ，５９ｂに係合しているため、ホルダ５６は、スライド部材８０，８１によって初期位置にロックされている（図１９（Ｂ）参照）。
【００８３】
図２３に示されるように、さらに、記録メディア４６がＡ方向に押圧されてホルダ５６内に挿入されると、メディア挿入検出部材６１がコイルバネ６３のバネ力に抗してＡ方向に摺動すると共に、メディア挿入検出部材６１の規制部６１ｂがスライド部材８０の延出部８０ｃから離間する。
【００８４】
これにより、スライド部材８０は、メディア挿入検出部材６１による規制が解除され、摺動可能な状態になる。そして、記録メディア４６の挿入側端部４６ａがスライド部材８０，８１の当接部８０ｇ，８１ｇに当接する。
【００８５】
図２４に示されるように、さらに、記録メディア４６がＡ方向に押圧されると、当接部８０ｇ，８１ｇがＡ方向に押圧されるため、スライド部材８０，８１は挿入方向に摺動しながら内側にも摺動して記録メディア４６の両側をクランプする。すなわち、当接部８０ｇ，８１ｇが記録メディア４６の挿入側端部４６ａにより挿入方向（Ａ方向）に押圧されると共に、スライド部材８０，８１はガイドピン８０ｅ，８０ｆが天板７４ａに形成された傾斜ガイド部７４ｆ（図７参照）に沿って摺動するため、内側にも移動する。
【００８６】
すなわち、スライド部材８０，８１は、挿入方向（Ａ方向）に対して斜め２０度の方向にスライドして左右両側から記録メディア４６の側面に近接する方向に移動することで、係合部８０ｈ，８１ｈがクランプ用凹部５４に係合する。同時に、スライド部材８０，８１は、係合部８０ｈ，８１ｈが切欠５８ｂ，５９ｂから離脱してホルダ５６に対するロックを解除し、ガイド部材５８，５９のガイド壁５８ａ，５９ａに沿ってＡ方向へ摺動可能になる（図２１（Ｂ）参照）。
【００８７】
このように、スライド部材８０，８１は、係合部８０ｈ，８１ｈがガイド部材５８，５９のガイド壁５８ａ，５９ａの内側に変位してクランプ用凹部５４に嵌合することでガイド壁５８ａ，５９ａによる挿入方向への規制が解除されてＡ方向への摺動が可能になる。すなわち、スライド部材８０，８１を有するホルダ５６に対する挿入方向への移動規制が解除される。
【００８８】
そして、スライド部材８０，８１は、夫々トーションバネ８２，８３によって外側（係止解除方向）に付勢されているが、ホルダ５６がクランプ位置から挿入方向に移動して装着位置に至る間は、係合部８０ｈ，８１ｈがクランプ用凹部５４に嵌合した状態でガイド部材５８，５９のガイド壁５８ａ，５９ａの内側を摺接する。そのため、スライド部材８０，８１は、ホルダ５６が初期位置から移動することにより係合部８０ｈ，８１ｈが内側に変位してクランプ用凹部５４に嵌合したクランプ状態に保持されている。
【００８９】
これで、記録メディア４６は、両側からスライド部材８０，８１によって挟持されるようにクランプされ、且つクランプ用凹部５４が係合部８０ｈ，８１ｈによって係止される。そのため、記録メディア４６は、クランプ機構７６，７７のクランプ動作によりホルダ５６に保持された状態となる。
【００９０】
また、スライド部材８０がクランプ位置に摺動すると、当接部８０ｇの側面が検出用穴７４ｑを介してメディア挿入検出センサ７８に対向する。そのため、メディア挿入検出センサ７８は、内蔵された発光素子からの検出光を当接部８０ｇの側面に照射し、その反射光を受光素子で受光するとメディア挿入検出信号を出力する。そのため、制御回路７２は、ホルダ駆動機構６０のモータ８６を起動させる。
【００９１】
図１４及び図１５に示されるように、ホルダ駆動機構６０のモータ８６の回転駆動力は、ウォーム９０、ウォームホイール９１、複数の減速ギヤ９２〜９５、ピニオン９８、ラック１００に伝達される。そして、ラック１００を有するホルダ５６は、図２５に示されるように、Ａ方向に駆動される。ホルダ５６に挿入された記録メディア４６は、ホルダ５６に保持された状態のまま装置内部に引き込まれる。
【００９２】
図２６に示されるように、ホルダ５６が挿入方向に移動して装着位置に至ると、記録メディア４６の挿入側端部４６ａが装着検出スイッチ７０の切片を押圧してオンに切り替える。
【００９３】
これにより、制御回路７２は、ホルダ駆動機構６０のモータ８６の回転を停止させる。このようにホルダ５６が装着位置に到着する過程で記録メディア４６の挿入側端部４６ａに設けられたコネクタ５０が基板６６に設けられたメディア用コネクタ６４に接続される。これにより、記録メディア４６は、メディア用コネクタ６４を介してデータの書き込み、あるいは読み込みが可能になる。
【００９４】
ここで、上記のように装着された記録メディア４６を排出するときのイジェクト動作について説明する。
イジェクト動作は、前面パネル１６のイジェクト釦２２が押圧操作されることで、イジェクトスイッチ７３がオンになると、モータ８６のロータ（図示せず）が逆方向に回転駆動されてホルダ５６が排出方向（Ｂ方向）に移動させられて記録メディア４６を挿入口２０へ排出する。そして、ホルダ５６が初期位置（図１８に示す）に復帰すると共に、スライド部材８０，８１は、夫々トーションバネ８２，８３のバネ力により、クランプ解除位置に復帰する。
【００９５】
これで、ホルダ５６に挿入された記録メディア４６をイジェクト方向に引き抜くことが可能になる。
【００９６】
ここで、記録メディア４６が間違った向きで挿入しようとした場合の第１、第２動作例について図２７及び図２８を参照して説明する。
【００９７】
図２７に示されるように、記録メディア４６がクランプ用凹部５４を有する側面を挿入側にして挿入しようとした場合、記録メディア４６の奥行き寸法が幅寸法よりも小さいので、記録メディア４６が横方向に移動可能な状態で挿入されることになる。
【００９８】
例えば、記録メディア４６が図２７中一点鎖線で示すように側面を挿入側にしてホルダ５６の左側の側板７５ｂに沿うように挿入された第１動作例の場合、あるいは図２３中破線で示すように記録メディア４６を挿入口２０に対して傾けた状態で左寄りに挿入した場合、記録メディア４６の左側角部がスライド部材８０の当接部８０ｇに当接する。
【００９９】
しかしながら、記録メディア４６の右側角部は、スライド部材８１の当接部８１ｇ及びメディア挿入検出部材６１のメディア当接ピン６７に当接せずに、メディア当接ピン６７の内側を通過してしまう。そのため、メディア挿入検出部材６１は、Ａ方向に移動できず、規制部６１ｂがスライド部材８０の延出部８０ｃに当接したままである。
【０１００】
よって、スライド部材８０，８１は、係合部８０ｈ，８１ｈがガイド部材５８，５９のガイド壁５８ａ，５９ａの内側に変位できず、ガイド壁５８ａ，５９ａにより挿入方向への規制が維持されている。そのため、ホルダ５６は、スライド部材８０，８１による規制によって初期位置から挿入方向へ移動できない。
【０１０１】
さらに、メディア挿入検出部材６１は、スライド部材８０をクランプ動作できないように係止しているため、記録メディア４６の左側角部がスライド部材８０の当接部８０ｇを押圧しても記録メディア４６の挿入が阻止される。このことにより、記録メディア４６は、間違った向きでホルダ５６に挿入されることによる、ホルダの装着動作を防止できる。
【０１０２】
このとき、スライド部材８０，８１は、係合部８０ｈ，８１ｈがガイド部材５８，５９のガイド壁５８ａ，５９ａに形成された切欠５８ｂ，５９ｂに係合しているため、ホルダ５６は、スライド部材８０，８１によって初期位置にロックされている（図１９（Ｂ）参照）。そのため、記録メディア４６は、ホルダ５６内部に突出する当接部７５ｆに当接することにより装置内部への落下が防止される。
【０１０３】
図２８に示されるように、記録メディア４６が図２８中一点鎖線で示すようにクランプ用凹部５４が設けられた側面を挿入側にしてホルダ５６の右側の側板７５ｃに沿うように挿入しようとした場合、あるいは図２８中破線で示すように挿入口２０に対して記録メディア４６を傾けた状態で右寄りに挿入した第２動作例の場合、記録メディア４６の右側角部がメディア挿入検出部材６１のメディア当接ピン６７に当接する。
【０１０４】
そのため、メディア挿入検出部材６１は、Ａ方向に移動して規制部６１ｂがスライド部材８０の延出部８０ｃから離間してスライド部材８０に対する動作規制を解除する。
【０１０５】
しかしながら、記録メディア４６の左側角部は、スライド部材８０の当接部８０ｇに当接せずに、当接部８０ｇの内側を通過してしまう。そのため、メディア挿入検出部材６１は、Ａ方向に移動して、規制部６１ｂがスライド部材８０の延出部８０ｃに対する動作規制を解除するもののスライド部材８０を挿入方向に押圧できない。
【０１０６】
従って、スライド部材８０，８１は、係合部８０ｈ，８１ｈがガイド部材５８，５９のガイド壁５８ａ，５９ａの内側に変位できず、ガイド壁５８ａ，５９ａにより挿入方向への規制が維持されている。そのため、ホルダ５６は、スライド部材８０，８１による規制によって初期位置から挿入方向へ移動できない。
【０１０７】
このとき、スライド部材８０，８１は、係合部８０ｈ，８１ｈがガイド部材５８，５９のガイド壁５８ａ，５９ａに形成された切欠５８ｂ，５９ｂに係合しているため、ホルダ５６を初期位置にロックしている（図１９（Ｂ）参照）。
【０１０８】
また、記録メディア４６が図２８中一点鎖線で示すようにクランプ用凹部５４が設けられた側面を挿入側にして挿入した場合、挿入側端部４６ａがメディア当接ピン６７に当接してメディア挿入検出部材６１を挿入方向に移動させても、最終的には挿入側端部４６ａがホルダ５６内に突出する当接部７５ｆに当接してそれ以上の挿入操作が阻止される。
【０１０９】
尚、記録メディア４６が幅寸法の小さい側面を挿入側端部として間違ってホルダ５６に挿入された場合、右側のメディア当接ピン６７及び左側のスライド部材８０に当接せずに挿入されてしまう可能性がある。このような場合、ホルダ５６は、前述したようにスライド部材８０，８１がクランプ動作をできないので、ガイド壁５８ａ，５９ａにより挿入動作が規制されており、且つ記録メディア４６は、クランプ用凹部５４を有する側面が初期位置にロックされたホルダ５６の当接部７５ｆに当接して挿入が防止される。
【０１１０】
さらに、挿入口２０が上面に位置するように記録メディア駆動装置１０を縦置き状態に設置された場合、記録メディア４６が幅寸法の小さい側面を挿入側端部として挿入されても、初期位置にロックされたホルダ５６の当接部７５ｆにより記録メディア４６が取り出し不可となる位置へ落下することが防止される。
【０１１１】
よって、スライド部材８０は、挿入方向に摺動できないため、記録メディア４６の右側角部がメディア挿入検出部材６１のメディア当接ピン６７を押圧しても記録メディア４６の挿入が阻止される。これにより、記録メディア４６は、間違った向きでホルダ５６に挿入されることが防止され、且つホルダ５６の装着動作をも防止できる。
【０１１２】
尚、上記実施の形態では、記録メディア３６または４６を装着する場合を一例として挙げたが、これに限らず、他の形状の記録メディアを装着する装置にも適用できるのは勿論である。
【０１１３】
【発明の効果】
上述の如く、請求項１記載の発明によれば、記録メディアが挿入される挿入口と、挿入口に挿入された記録メディアを収容するホルダと、ホルダを装着位置へ移動させるホルダ駆動手段と、ホルダに摺動可能に設けられ、記録メディアの一側角部近傍に当接するようにホルダ内に突出する第１の当接部と、記録メディアの他側で記録メディアに形成された凹部に嵌入し、ホルダに対して記録メディアをクランプするクランプ機構を規制する規制部とを有する誤挿入防止部材と、ホルダに摺動可能に設けられ、記録メディアの他側角部近傍に当接するようにホルダ内に突出する第２の当接部を有するスライド部材と、ホルダ内に突出するようにホルダと一体に設けられた第３の当接部とを備えたため、第１または第２の当接部の何れかに当接するように記録メディアが誤った向きで挿入された場合に誤挿入防止部材あるいはスライド部材が挿入方向に摺動せず記録メディアの挿入を阻止するものであり、大きさの異なる記録メディアがホルダに挿入される場合に小さい記録メディアが誤った向きで装着されることを防止でき、且つ、第３の当接部により記録メディアが装置内部へ落下することを防止することができる。
【０１１４】
また、請求項２記載の発明によれば、スライド部材が記録メディアをクランプするクランプ機構を構成しており、挿入方向への摺動動作が検出手段により検出されることでホルダ駆動手段を駆動させるため、大きさの異なる記録メディアがホルダに挿入される場合に小さい記録メディアが誤った向きでホルダに挿入されても記録メディアがクランプされないので、記録メディアの誤挿入を未然に防止することができる。
【０１１５】
また、請求項３記載の発明によれば、誤挿入防止部材に記ホルダが記録メディアが挿入される初期位置にあるときスライド部材の摺動動作を規制する規制部を設けたため、小さい記録メディアが誤った向きでホルダに挿入されてもスライド部材が摺動できないので、記録メディアが誤った向きで装着されることを防止できる。
【０１１６】
また、請求項４記載の発明によれば、記録メディアが異なる向きでホルダに挿入された場合に第１，第２の当接部が記録メディアが当接せずとも、第３の当接部が記録メディアに当接して記録メディアの挿入を阻止するため、記録メディアが誤った向きで挿入されることを防止でき、且つ装置内部への落下を未然に防止することができる。
【０１１７】
また、請求項５記載の発明によれば、誤挿入防止部材をメディア排出方向に付勢する付勢部材を設け、付勢部材が、クランプ機構によるクランプを解除された記録メディアを排出方向に押し出すため、記録メディアが誤った向きで挿入されることを未然に防止すると共に、記録メディアを排出方向に押し出してイジェクト動作をアシストすることができる。
【図面の簡単な説明】
【図１】本発明になる記録メディア駆動装置の一実施例を示す図であり、（Ａ）は正面図、（Ｂ）は平面図、（Ｃ）は背面図、（Ｄ）は左側面図、（Ｅ）は右側面図である。
【図２】２．５インチディスクの記録メディアの一例を示す図であり、（Ａ）は平面図、（Ｂ）は正面図、（Ｃ）は側面図である。
【図３】１．８インチディスクの記録メディアの一例を示す図であり、（Ａ）は平面図、（Ｂ）は正面図、（Ｃ）は側面図である。
【図４】カバー１４を外した状態を示す平面図である。
【図５】（Ａ）は前面パネル１６を内側からみた背面図、（Ｂ）は蓋部材２６の開閉動作を示す側面図である。
【図６】前面パネル１６を外したシャーシ１２の内部構造を示す縦断面図である。
【図７】ホルダ５６の平面図である。
【図８】ホルダ５６の正面図である。
【図９】ホルダ５６の左側面図である。
【図１０】ホルダ５６の右側面図である。
【図１１】メディア挿入検出部材６１の構成を示す図であり、（Ａ）は平面図、（Ｂ）は正面図である。
【図１２】カバー１４及び前面パネル１６を外した状態の正面図である。
【図１３】カバー１４及び背面パネル１８を外した状態の背面図である。
【図１４】ホルダ５６の左側に配置されたスライド部材８０の構成を示す図であり、（Ａ）は正面図、（Ｂ）は平面図、（Ｃ）は背面図、（Ｄ）は左側面図、（Ｅ）は右側面図、（Ｆ）は底面図である。
【図１５】ホルダ駆動機構６０を部分的に拡大して示す平面図である。
【図１６】ホルダ駆動機構６０を左側からみた側面図である。
【図１７】開閉機構６２を側方からみた側面図である。
【図１８】スライド部材８０，８１の動作前の状態を示す平面図である。
【図１９】スライド部材８０，８１の各突出部の係合関係を示す図であり、（Ａ）はスライド部材８０，８１の各突出部（ハッチングで示す）のクランプ動作前の状態を示す平面図、（Ｂ）は要部を拡大して示す図である。
【図２０】スライド部材８０，８１のクランプ動作後の状態を示す平面図である。
【図２１】スライド部材８０，８１の各突出部の係合関係を示す図であり、（Ａ）はスライド部材８０，８１の各突出部（ハッチングで示す）のクランプ動作後の状態を示す平面図、（Ｂ）は要部を拡大して示す図である。
【図２２】メディア挿入開始状態を説明するための平面図である。
【図２３】メディア挿入検出状態を説明するための平面図である。
【図２４】メディアクランプ状態を説明するための平面図である。
【図２５】ホルダ駆動状態を説明するための平面図である。
【図２６】メディア装着完了状態を説明するための平面図である。
【図２７】記録メディア４６が間違った向きで挿入された場合の第１動作例を説明するための平面図である。
【図２８】記録メディア４６が間違った向きで挿入された場合の第２動作例を説明するための平面図である。
【符号の説明】
１０  記録メディア駆動装置
１２  シャーシ
１４  カバー
１６  前面パネル
１８  後部パネル
２０  挿入口
２２  イジェクト釦
２６  蓋部材
３６  第１の記録メディア
４６  第２の記録メディア
３８，４８  カートリッジ
４０，５０  コネクタ
４２，５２  ガイド溝
４４，５４  クランプ用凹部
５６  ホルダ
５７  メディア誤挿入防止機構
５８，５９  ガイド部材
６０  ホルダ駆動機構
６１  メディア挿入検出部材
６２  開閉機構
６３  コイルバネ
６４  メディア用コネクタ
６５  押え板
６６  基板
６７  メディア当接ピン
６８  ホルダ検出スイッチ
７０  装着検出スイッチ
７２  制御回路
７４，７５  摺動部材
７６，７７  クランプ機構
７８  メディア挿入検出センサ
８０，８１  スライド部材
８６  モータ
８８  伝達機構
９６  減速ギヤ群
９８  ピニオン
１００  ラック
【図１】
2004348813.tif 000003
【図２】
2004348813.tif 000004
【図３】
2004348813.tif 000005
【図４】
2004348813.tif 000006
【図５】
2004348813.tif 000007
【図６】
2004348813.tif 000008
【図７】
2004348813.tif 000009
【図８】
2004348813.tif 000010
【図９】
2004348813.tif 000011
【図１０】
2004348813.tif 000012
【図１１】
2004348813.tif 000013
【図１２】
2004348813.tif 000014
【図１３】
2004348813.tif 000015
【図１４】
2004348813.tif 000016
【図１５】
2004348813.tif 000017
【図１６】
2004348813.tif 000018
【図１７】
2004348813.tif 000019
【図１８】
2004348813.tif 000020
【図１９】
2004348813.tif 000021
【図２０】
2004348813.tif 000022
【図２１】
2004348813.tif 000023
【図２２】
2004348813.tif 000024
【図２３】
2004348813.tif 000025
【図２４】
2004348813.tif 000026
【図２５】
2004348813.tif 000027
【図２６】
2004348813.tif 000028
【図２７】
2004348813.tif 000029
【図２８】
2004348813.tif 000030